(57)【要約】      （修正有）【課題】冷暖房機を使用する部屋からの放熱量の低減を図るために、ガラス戸に断熱フィルムやペアガラスが使われているが、回収益に対する対策費が大きく未だその普及が遅れている。本考案は、ガラス戸のガラス表面にテープ状パッキンとテープ状マグネットを挟んでプラスチックシートを貼り付けることにより空気断熱層を形成し、室内からの放熱量の低減を図るガラス戸用省エネキットを提供する。【解決手段】ガラス戸額縁表面とガラス表面の高さの差を利用して、ガラス表面上にテープ状パッキン、テープ状マグネットおよびプラスチックシートにて空気断熱層を形成することによりガラス表面からの熱放散量低減し、省エネとしての便益性の向上を図る。【選択図】図１
0003128700.tif 000002
【実用新案登録請求の範囲】
【請求項１】
本考案は、ガラス戸より放散される熱量の削減のために、ガラス戸における額縁表面とガラス面との高さの差により生ずる空間内に空気断熱層を形成させるキットとしてテープ状パッキンとテープ状マグネットとプラスチックシートと化粧テープのすべてあるいは一部を含むことを特徴とするガラス戸用省エネキット。
【請求項２】
空気断熱層を形成させる手段としてゴムあるいはプラスチックテープの片面に接着剤を塗布し、他の片面に磁性体箔を付着させてロール巻きにしガラス戸寸法に合わせてハサミで切断できるようにしたテープ状パッキンを含むことを特徴とする請求項１記載のガラス戸用省エネキット。
【請求項３】
プラスチックシートの脱着用にマグネットテープの裏側に接着剤を塗布してロール巻きにしプラスチックシート寸法に合わせハサミで切断できるようにしたテープ状マグネットを含むことを特徴とする請求項１記載のガラス戸用省エネキット。
【請求項４】
ガラス戸のガラスにパッキン、マグネットを介して取付けられたプラスチックシートの切り口を隠すために貼り付けるロール巻きにした化粧テープを含むことを特徴とする請求項1記載のガラス戸用省エネキット。
【考案の詳細な説明】
【技術分野】
【０００１】
本考案は、ガラス戸のガラス表面にテープ状パッキンとテープ状マグネットを挟んでプラスチックシートを貼り付けることにより空気断熱層を形成し、室内からの放熱量の低減を図るガラス戸用省エネキットに関するものである。
【背景技術】
【０００２】
室内からの放熱量削減のための日照調整断熱フィルムやエアパッキンなどを直接ガラス表面に取付ける方法が実施されてはいるが、未だ充分に普及していないのは、断熱効果が比較的少ないことと取付け取外しが難しいためと考えられる。
【０００３】
また、放熱量削減のためにガラス戸をペアガラスにしたり2重戸にしたりの対策がなされてもいるが、費用が嵩むため厳寒地にしか普及していない。
【考案の開示】
【考案が解決しようとする課題】
【０００４】
地球温暖化防止対策として工業的な炭酸ガス分離回収技術の開発が行われてきたが、経済性において有効な手段は未だ実現されておらず、地球温暖化対策の軸足は自然を利用した発電や省エネ技術に向けられるようになってきている。
【０００５】
冷暖房に費やされるエネルギーは膨大であり、従って発生する炭酸ガスも膨大な量となっている。冷暖房用に消費されるエネルギーの大半はガラス窓やガラス戸から外気へ放散しており、この放散されているエネルギーを削減することは技術的に容易であり地球温暖化防止対策としての効果が大であると言える。
そこで、ガラス窓やガラス戸をペアガラスにしたり2重戸にしたりの対策がなされているが構造が複雑で高価なために寒冷地を除いて一般に普及していないのが実情であり、冷暖房用省エネ対策としては装置費が安価で便益性があり、取り扱いやすいことが求められそれを満たす冷暖房用省エネ装置の実用化が課題となっている。
【課題を解決するための手段】
【０００６】
この課題を解決するための請求項１の考案は、ガラス戸の額縁面とガラス表面との高さの差を利用しこの空間部においてガラスとシート状パッキンとシート状マグネットおよびプラスチックシートとにより空気断熱層を形成し、室内からの熱の放散量の低減を図るガラス戸用省エネキットであり、ペアガラスや２重戸に比べれば放散熱の低減量は少ないけれども構造が簡単であり、当該省エネキットを使用すれば形状の異なるガラス戸にであっても各人でテープ状パッキン、テープ状マグネットおよびプラスチックシートを適宜切断することにより各人で容易に取付けることが可能となり便益性の出るコスト低減の達成が容易となる。
【０００７】
また、請求項２の考案は、空気断熱層を形成するためのパッキンとしてテープの片面に接着剤を塗布し他の片面には磁性体の箔を接着させロール状にすることにより、各人が容易に当該パッキンをガラス戸のガラスに接着させることが可能となる。
【０００８】
また、請求項３の考案は、裏面に接着剤を塗布したロール巻きマグネットテープをガラス戸額縁に合わせて切断されたプラスチックシートの外周に連続して接着させることにより、当該プラスチックシートを請求項２のパッキンに磁力で密着させ、ガラスとプラスチックシート間の空気断熱層の機密性を確保するとともにプラスチックシートの脱着を容易にすることが可能となる。
【０００９】
また、請求項４の考案は、作業に不慣れな各人がガラス戸額縁に合わせてプラスチックシートを切断した場合、切断面の形状に不均一な部分の生ずるため、これを隠すための化粧テープであり外観を良くすることで一般への普及の促進にとって有効となる。
【考案の効果】
【００１０】
本考案により、利用する各人がプラスチックシートをガラス戸額縁の寸法に合わせて切断し、ロール巻きしたテープ状パッキンはガラスに接着させ、ロール巻きしたテープ状マグネットはガラス戸額縁に合わせて切断したプラスチックシート外周に接着させることができるため、多種寸法のガラス戸に合わせてあらかじめ完成品を組み立てる必要がなく、各部品を各専門メーカーで量産でき製造コストの低減を図ることが出来る。
【考案を実施するための最良の形態】
【００１１】
本考案のガラス戸用省エネキットに関する実施の形態について説明する。
なお、この形態は、考案の趣旨をより良く理解させるために説明するものであり、特に指定しない限り、本考案を限定するものではない。
【実施例１】
【００１２】
図１は、ガラス戸用省エネキットはテープ状パッキン２００とテープ状マグネット３００とアクリルシート４０１で構成されており、各部品をガラス戸１００に取付けた状態の正面図であり、ガラス１０２が大きい場合であってアクリルシート４０１を２分割して取付けた例を示す。
【００１３】
図２は、ガラス戸用省エネキットの各部品をガラス戸１００に取付けた状態の部分詳細断面図であり、ガラス１０２の表面に額縁１０１に沿ってテープ状パッキン２００を貼り付け、当該パッキン２００に重ねてテープ状マグネット３００を磁力で吸着させ、更に額縁に沿って切断されたアクリルシート４０１を接着させて密閉された断熱空気層５００を形成することによりガラス戸の断熱効果の向上を図ることができる。更にその上に化粧テープ４０２を貼り付けた状態を示す。
【００１４】
図３は、パッキン２００の構成要素を示す側面図でプラスチックテープ２０１の１面に接着剤２０３を塗布し、他の１面にはステンレス箔２０２を接着させて、パッキン用はくり紙２０４を介してロール巻きにすることでガラス１０２への接着が容易となる。
【００１５】
図４は、マグネット３００の構成要素を示す側面図でパッキン２００の幅に合わせた幅のマグネットテープ３０１の裏面即ち非磁石面にアクリルシート４０１を接着するための接着剤３０３を塗布し、マグネット用はくり紙３０３を挟んでロール巻きにすることでアクリルシート４０１への接着が容易となる。
【図面の簡単な説明】
【００１６】
【図１】ガラス戸用省エネキットをガラス戸に取付けた正面図である。
【図２】ガラス戸用省エネキットをガラス戸に取付けた部分詳細断面図である。
【図３】ロール巻きしたパッキンの側面図である。
【図４】ロール巻きしたマグネットの側面図である。
【符号の説明】
【００１７】
１００    ガラス戸
１０１    額縁
１０２    ガラス
２００    テープ状パッキン
２０１    プラスチックテープ
２０２    ステンレス箔
２０３    接着剤
２０４    パッキン用はくり紙
３００    テープ状マグネット
３０１    マグネットテープ
３０２    接着剤
３０３    マグネット用はくり紙
４０１    アクリルシート
４０２    化粧テープ
５００    空気断熱層
【図１】
0003128700.tif 000003
【図２】
0003128700.tif 000004
【図３】
0003128700.tif 000005
【図４】
0003128700.tif 000006
【手続補正書】
【提出日】平成18年4月21日(2006.4.21)
【手続補正１】
【補正対象書類名】実用新案登録請求の範囲
【補正対象項目名】全文
【補正方法】変更
【補正の内容】
【実用新案登録請求の範囲】
【請求項１】
本考案は、ガラス戸より放散される熱量の削減のために、ガラス戸における額縁表面とガラス面との高さの差により生ずる空間内に空気断熱層を形成させるキットとしてテープ状パッキンとテープ状マグネットとプラスチックシートと化粧テープと型紙用紙を組み合わせる、あるいは硬質プラスチック片とプラスチックシートと化粧テープと型紙用紙を組み合わせることを特徴とするガラス戸用省エネキット。
【請求項２】
空気断熱層を形成させる手段としてゴムあるいはプラスチックテープの片面に接着剤を塗布し、他の片面に磁性体箔を付着させてロール巻きにしガラス戸寸法に合わせてハサミで切断できるようにしたテープ状パッキンを含むことを特徴とする請求項１記載のガラス戸用省エネキット。
【請求項３】
プラスチックシートの脱着用にマグネットテープの裏側に接着剤を塗布してロール巻きにしプラスチックシート寸法に合わせハサミで切断できるようにしたテープ状マグネットを含むことを特徴とする請求項１記載のガラス戸用省エネキット。
【請求項４】
ガラス戸のガラスにテープ状パッキンとテープ状マグネットを介して取付けられたプラスチックシートあるいは硬質プラスチック片を介して取付けられたプラスチックシートの機密性の保持および切断部の隠蔽のために貼り付けるロール巻きにした化粧テープを含むことを特徴とする請求項１記載のガラス戸用省エネキット。
【手続補正２】
【補正対象書類名】明細書
【補正対象項目名】全文
【補正方法】変更
【補正の内容】
【考案の詳細な説明】
【技術分野】
【０００１】本考案は、ガラス戸のガラス表面にテープ状パッキンとテープ状マグネットを挟んでプラスチックシートを貼り付けることにより空気断熱層を形成し、室内からの放熱量の低減を図るガラス戸用省エネキットに関するものである。
【背景技術】
【０００２】室内からの放熱量削減のための日照調整断熱フィルムやエアパッキンなどを直接ガラス表面に取付ける方法が実施されてはいるが、未だ充分に普及していないのは、断熱効果が比較的少ないことと取付け取外しが難しいためと考えられる。【０００３】また、放熱量削減のためにガラス戸をペアガラスにしたり２重戸にしたりの対策がなされてもいるが、費用が嵩むため厳寒地にしか普及していない。
【考案の開示】
【考案が解決しようとする課題】
【０００４】地球温暖化防止対策として工業的な炭酸ガス分離回収技術の開発が行われてきたが、経済性において有効な手段は未だ実現されておらず、地球温暖化対策の軸足は自然を利用した発電や省エネ技術に向けられるようになってきている。【０００５】冷暖房に費やされるエネルギーは膨大であり、従って発生する炭酸ガスも膨大な量となっている。冷暖房用に消費されるエネルギーの大半はガラス窓やガラス戸から外気へ放散しており、この放散されているエネルギーを削減することは技術的に容易であり地球温暖化防止対策としての効果が大であると言える。
そこで、ガラス窓やガラス戸をペアガラスにしたり２重戸にしたりの対策がなされているが構造が複雑で高価なために寒冷地を除いて一般に普及していないのが実情であり、冷暖房用省エネ対策としては装置費が安価で便益性があり、取り扱いやすいことが求められそれを満たす冷暖房用省エネ装置の実用化が課題となっている。
【課題を解決するための手段】
【０００６】この課題を解決するための請求項１の考案は、ガラス戸の額縁面とガラス表面との高さの差を利用しこの空間部においてガラスとテープ状パッキンとテープ状マグネットおよびプラスチックシートとにより空気断熱層を形成し、室内からの熱の放散量の低減を図るガラス戸用省エネキットであり、ペアガラスや２重戸に比べれば放散熱の低減量は少ないけれども構造が簡単であり、当該省エネキットを使用すれば形状の異なるガラス戸にであっても各人で型紙用紙を使ってガラスの採寸を行いそれに合わせてプラスチックシートを切断し、テープ状パッキン、テープ状マグネットを適宜切断することにより容易に各部品をガラス戸に取付けることが可能となり便益性があり利便性のあるガラス戸用省エネキットが期待できる。【０００７】また、請求項２の考案は、空気断熱層を形成するためのパッキンとしてゴムあるいはプラスチックテープの片面に接着剤を塗布し他の片面には磁性体の箔を接着させロール状にすることにより、各人が容易に当該パッキンを切断しガラス戸のガラスに接着させることが可能となる。【０００８】また、請求項３の考案は、裏面に接着剤を塗布したロール巻きマグネットテープをガラス戸額縁に合わせて切断されたプラスチックシートの外周に連続して接着させることにより、当該プラスチックシートを請求項２のパッキンに磁力で密着させ、ガラスとプラスチックシート間の空気断熱層の機密性を確保するとともにプラスチックシートの脱着を容易にすることが可能となる。【０００９】また、請求項４の考案は、作業に不慣れな各人がガラス戸額縁に合わせてプラスチックシートを切断した場合、切断面の形状に不均一な部分の生ずる可能性があるため、これを隠すための化粧テープであり外観を良くするとともに空気断熱層の気密性ち確保することが可能となる。
【考案の効果】
【００１０】本考案により、利用する各人が採寸した型紙に従ってプラスチックシートを切断し、ロール巻きしたテープ状パッキンをガラスに接着させ、ロール巻きしたテープ状マグネットは裁断されたプラスチックシート外周に接着させることができるため、最も手間のかかる多種寸法のガラス戸に合わせてあらかじめ完成品を組み立てる必要がなく、各部品を各専門メーカーで標準化して量産でき製造コストの低減を図ることが出来る。またプラスチックシートの取り外しの必要のない場合は、硬質プラスチック片とプラスチックシートと化粧テープと接着剤のみでキットが構成できるため大幅なコストダウンが可能となる。
【考案を実施するための最良の形態】
【００１１】本考案のガラス戸用省エネキットに関する実施の形態について説明する。なお、この形態は、考案の趣旨をより良く理解させるために説明するものであり、特に指定しない限り、本考案を限定するものではない。
【実施例１】
【００１２】図１は、ガラス戸用省エネキットはテープ状パッキン２００とテープ状マグネット３００とアクリルシート４０１で構成されており、各部品をガラス戸１００に取付けた状態の正面図であり、ガラス１０２が大きい場合であってアクリルシート４０１を２分割して取付けた例を示す。【００１３】図２は、ガラス戸用省エネキットの各部品をガラス戸１００に取付けた状態の部分詳細断面図であり、ガラス１０２の表面に額縁１０１に沿ってテープ状パッキン２００を貼り付け、当該パッキン２００に重ねてテープ状マグネット３００を磁力で吸着させ、更に額縁に沿って切断されたアクリルシート４０１を接着させて密閉された断熱空気層５００を形成することによりガラス戸の断熱効果の向上を図ることができる。更にその上に化粧テープ４０２を貼り付けた状態を示す。【００１４】図３は、パッキン２００の構成要素を示す側面図で、発泡ゴムテープ２０１の１面に接着剤２０３を塗布し、他の１面にはステンレス箔２０２を接着させて、パッキン用はくり紙２０４を介してロール巻きにすることでガラス１０２への接着が容易となる。【００１５】図４は、マグネット３００の構成要素を示す側面図でパッキン２００の幅に合わせた幅のマグネットテープ３０１の裏面即ち非磁石面にアクリルシート４０１を接着するための接着剤３０３を塗布し、マグネット用はくり紙３０３を挟んでロール巻きにすることでアクリルシート４０１への接着が容易となる。
【実施例２】
【００１６】図５は、ガラス１０２に接着剤により硬質プラスチック片４０３を介してプラスチックシート４０１を接着させその上に化粧テープ４０２を貼り付けて空気断熱層の気密性をもたせる最少限の部品で構成された例を示す。
【図面の簡単な説明】
【００１７】
【図１】マグネット付ガラス戸用省エネキットをガラス戸に取付けた正面図である。
【図２】マグネット付ガラス戸用省エネキットをガラス戸に取付けた部分詳細図である。
【図３】ロール巻きしたテープ状パッキンの側面正面図である。
【図４】ロール巻きしたテープ状マグネットの側面正面図である。
【図５】パッキンとプラスチックシートと化粧テープとを組み合わせた時の正面図である。
【符号の説明】
【００１８】１００    ガラス戸
１０１    額縁
１０２    ガラス
２００    テープ状パッキン
２０１発泡ゴムテープ
２０２    ステンレス箔
２０３    接着剤
２０４    パッキン用はくり紙
３００    テープ状マグネット
３０１    マグネットテープ
３０２    接着剤
３０３    マグネット用はくり紙
４０１    アクリルシート
４０２    化粧テープ
４０３    硬質アクリルパッキン
５００    空気断熱層
【手続補正３】
【補正対象書類名】図面
【補正対象項目名】図５
【補正方法】追加
【補正の内容】
【図５】
0003128700.tif 000007
【手続補正書】
【提出日】平成18年5月10日(2006.5.10)
【手続補正１】
【補正対象書類名】実用新案登録請求の範囲
【補正対象項目名】全文
【補正方法】変更
【補正の内容】
【実用新案登録請求の範囲】
【請求項１】
本考案は、テープ状パッキンとテープ状マグネットとプラスチックシートと化粧テープと型紙用紙を組み合わせることあるいはテープ状パッキンとプラスチックシートと化粧テープと型紙用紙を組み合わせることを特徴とするガラス戸用省エネキット。
【請求項２】
ゴムあるいはプラスチックテープの片面に接着剤を塗布し、他の片面に磁性体箔を付着させてロール巻きにしガラス寸法に合わせてハサミで切断接着できるようにしたテープ状パッキンを含むことを特徴とする請求項１記載のガラス戸用省エネキット。
【請求項３】
マグネットテープの裏側に接着剤を塗布してロール巻きにしプラスチックシート寸法に合わせハサミで切断接着できるようにしたテープ状マグネットを含むことを特徴とする請求項１記載のガラス戸用省エネキット。
【請求項４】
ガラス戸のガラスにテープ状パッキンとテープ状マグネットを介して取付けられたプラスチックシートあるいはテープ状パッキンを介して取付けられたプラスチックシートの機密性の保持および切断部の隠蔽のために貼り付けるロール巻きにした化粧テープを含むことを特徴とする請求項１記載のガラス戸用省エネキット。